(57)【要約】【課題】  横引歯の小刀の刃のような切断作用及び縦引歯の幅の狭いのみのような切断作用の協動切断作用により横引き及び縦引きに加えて木目に対して斜め方向に切断する所謂配付切りも良好に行うことができ、殊に隣接一対の二個の縦引歯を横引歯の途中に配列形成しているので、一個の縦引歯のみを横引歯の途中に配列形成した場合には掻き出す作用のみとなるが、この二個の縦引歯にあっては、一方の縦引歯により削り取って他方の縦引歯により掻き出す作用を得ることができ、それだけ良好な配付切りを行うことができ、集成材や合板に適した鋸を得ることができる。【解決手段】  鋸身体１の辺縁に複数個の鋸歯２を並列形成してなり、上記複数個の鋸歯は複数個の並列する横引歯２ａから形成されていると共に並列する横引歯の途中に隣接一対の縦引歯２ｂが適宜間隔を置いて形成されている。【選択図】              図１
2005022380.tif 000002
【特許請求の範囲】
【請求項１】
鋸身体の辺縁に複数個の鋸歯を並列形成してなり、上記複数個の鋸歯は複数個の並列する横引歯から形成されていると共に該並列する横引歯の途中に隣接一対の縦引歯が適宜間隔を置いて形成されていることを特徴とする鋸。
【請求項２】
上記横引歯の歯頂縁よりも上記縦引歯の歯頂縁を高く突出形成してなることを特徴とする請求項１記載の鋸。
【請求項３】
上記横引歯のあさりの振分寸法を上記縦引歯のあさりの振分寸法より大きく設定してなることを特徴とする請求項１又は２記載の鋸。
【発明の詳細な説明】
【技術分野】
【０００１】
本発明は例えば配付垂木の切断等の木目に対して斜め方向に切断する所謂配付切りに適して用いられる鋸に関するものである。
【背景技術】
【０００２】
従来この種の鋸は木目と同じ方向に切断する縦引歯と木目を横切る方向に切断する横引歯をもつ二種類の鋸が知られている。
【非特許文献１】著作者  木下邦夫  暮しの工学  啓学出版株式会社
【発明の開示】
【発明が解決しようとする課題】
【０００３】
しかしながら、例えば配付垂木の切断等にあっては、木目に対して斜め方向に切断する所謂配付切りを行うことになり、又、集成材や合板の切断にあっては、木目が混合したものとなっており、このため、円滑な切断が困難となることがあるという不都合を有している。
【課題を解決するための手段】
【０００４】
本発明はこのような課題を解決することを目的とするもので、本発明のうちで、請求項１記載の発明は、鋸身体の辺縁に複数個の鋸歯を並列形成してなり、上記複数個の鋸歯は複数個の並列する横引歯から形成されていると共に該並列する横引歯の途中に隣接一対の縦引歯が適宜間隔を置いて形成されていることを特徴とする鋸にある。
【０００５】
又、請求項２記載の発明にあっては、上記横引歯の歯頂縁よりも上記縦引歯の歯頂縁を高く突出形成してなることを特徴とするものであり、又、請求項３記載の発明は、上記横引歯のあさりの振分寸法を上記縦引歯のあさりの振分寸法より大きく設定してなることを特徴とするものである。
【発明の効果】
【０００６】
本発明は上述の如く、請求項１記載の発明にあっては、鋸身体の辺縁に複数個並列形成された鋸歯が複数個の並列する横引歯から形成されていると共にこの並列する横引歯の途中に隣接一対の縦引歯が適宜間隔を置いて形成されているから、横引歯の小刀の刃のような切断作用及び縦引歯の幅の狭いのみのような切断作用の協動切断作用により横引き及び縦引きに加えて木目に対して斜め方向に切断する所謂配付切りも良好に行うことができ、殊に隣接一対の二個の縦引歯を横引歯の途中に配列形成しているので、一個の縦引歯のみを横引歯の途中に配列形成した場合には掻き出す作用のみとなるが、この二個の縦引歯にあっては、一方の縦引歯により削り取って他方の縦引歯により掻き出す作用を得ることができ、それだけ良好な配付切りを行うことができ、集成材や合板に適した鋸を得ることができる。
【０００７】
又、請求項２記載の発明にあっては、上記横引歯の歯頂縁よりも上記縦引歯の歯頂縁を突出長さ分だけ高く突出形成しているから、一方の縦引歯により削り取って他方の縦引歯により掻き出す作用を良好に得ることができ、又、請求項３記載の発明にあっては、上記横引歯のあさりの振分寸法を上記縦引歯のあさりの振分寸法より大きく設定しているから、横引歯及び縦引歯の協動切断を良好に行うことができる。
【発明を実施するための最良の形態】
【０００８】
鋸身体の辺縁に複数個並列形成された鋸歯が複数個の並列する横引歯から形成されていると共にこの並列する横引歯の途中に隣接一対の縦引歯が適宜間隔を置いて形成されているから、横引歯の小刀の刃のような切断作用及び縦引歯の幅の狭いのみのような切断作用の協動切断作用により横引き及び縦引きに加えて木目に対して斜め方向に切断する所謂配付切りも良好に行うことができ、殊に隣接一対の二個の縦引歯を横引歯の途中に配列形成しているので、一個の縦引歯のみを横引歯の途中に配列形成した場合には掻き出す作用のみとなるが、この二個の縦引歯にあっては、一方の縦引歯により削り取って他方の縦引歯により掻き出す作用を得ることができ、それだけ良好な配付切りを行うことができ、集成材や合板に適した鋸を得ることができる。
【実施例】
【０００９】
図１乃至図３は本発明の実施例を示し、１は鋸身体であって、金属板により製作され、鋸身体１の辺縁には複数個の鋸歯２が並列形成され、この鋸身体１の基端部に図示省略の握柄体を取り付ける構造となっている。
【００１０】
この鋸歯２は、裏歯ａ・上目２ｂ及び上歯ｃからなる複数個の並列する横引歯２ａ・２ａ・・・の横歯列Ｇから形成されていると共にこの並列する横引歯２ａ・・・の途中に裏歯ｄ及び上歯ｅからなる隣接一対の縦引歯２ｂ・２ｂの縦歯列Ｆが適宜間隔を置いて形成されている。
【００１１】
この場合、上記鋸身体１を板厚Ｔとし、上記横引歯２ａの歯頂縁Ｐよりも上記縦引歯２ｂの歯頂縁Ｑを突出長さＨ分だけ高く突出形成してなり、かつ、上記横引歯２ａのあさりの振分寸法Ｂを上記縦引歯２ｂのあさりの振分寸法Ｋより大きく設定している。
【００１２】
この実施例は上記構成であるから、鋸身体の辺縁に複数個並列形成された鋸歯２が複数個の並列する横引歯２ａ・２ａ・・・から形成されていると共にこの並列する横引歯２ａ・２ａ・・・の途中に隣接一対の縦引歯２ｂ・２ｂが適宜間隔を置いて形成されているから、横引歯２ａ・２ａ・・・の小刀の刃のような切断作用及び縦引歯２ｂ・２ｂの幅の狭いのみのような切断作用の協動切断作用により横引き及び縦引きに加えて木目に対して斜め方向に切断する所謂配付切りも良好に行うことができ、殊に隣接一対の二個の縦引歯２ｂ・２ｂを横引歯２ａ・２ａ・・・の途中に配列形成しているので、一個の縦引歯２ｂのみを横引歯２ａ・２ａ・・・の途中に配列形成した場合には掻き出す作用のみとなるが、この二個の縦引歯２ｂ・２ｂにあっては、一方の縦引歯２ｂにより削り取って他方の縦引歯２ｂにより掻き出す作用を得ることができ、それだけ良好な配付切りを行うことができ、集成材や合板に適した鋸を得ることができる。
【００１３】
又、この場合、上記横引歯２ａの歯頂縁Ｐよりも上記縦引歯２ｂの歯頂縁Ｑを突出長さＨ分だけ高く突出形成しているから、一方の縦引歯２ｂにより削り取って他方の縦引歯２ｂにより掻き出す作用を良好に得ることができ、又、この場合、上記横引歯２ａのあさりの振分寸法Ｂを上記縦引歯２ｂのあさりの振分寸法Ｋより大きく設定しているから、横引歯２ａ・２ａ・・・及び縦引歯２ｂ・２ｂの協動切断を良好に行うことができる。
【００１４】
尚、本発明は上記実施例に限られるものではなく、鋸身体１の材質や形態、横引歯２ａ・２ａ・・・の形状や数、縦引歯２ｂ・２ｂの形状及び横歯列Ｇと縦歯列Ｆとの配置ピッチ等は適宜変更して設計される。
【００１５】
以上、所期の目的を充分達成することができる。
【図面の簡単な説明】
【００１６】
【図１】本発明の実施例の部分正面図である。
【図２】本発明の実施例の部分拡大正面図である。
【図３】本発明の実施例の部分拡大縦断面図である。
【符号の説明】
【００１７】
Ｂ  振分寸法
Ｐ  歯頂縁
Ｑ  歯頂縁
Ｈ  長さ
Ｋ  振分寸法
１  鋸身体
２  鋸歯
２ａ  横引歯
２ｂ  縦引歯
【図１】
2005022380.tif 000003
【図２】
2005022380.tif 000004
【図３】
2005022380.tif 000005